(57)【要約】【課題】電線被覆の破れを抑制しつつ電線を保持できる電線保持部材を提供することを目的とする。【解決手段】芯線６２とこの芯線６２を被覆する絶縁被覆６３とを備える電線６１に装着される電線ホルダ１０は、電線６１を受け入れる保持溝２１を有する第１分割体１１Ａと、電線６１を受け入れる保持溝２１を有して第１分割体１１Ａに組み付けられる第２分割体１１Ｂとを備え、第１分割体１１Ａと第２分割体１１Ｂとが組み付けられた状態では第１分割体１１Ａの保持溝２１と第２分割体１１Ｂの保持溝２１とが組み合わせられて内部に電線６１を受け入れ可能な電線保持部２８となっており、保持溝２１が、電線保持部２８に突出して絶縁被覆６３に圧接される突条２２Ａ、２２Ｂと、この突条２２Ａ、２２Ｂに隣接して配置され、突条２２Ａ、２２Ｂの圧接によって変形した絶縁被覆６３の進入を許容する逃がし部２５、２７を有している。【選択図】図５
2017073212.tif 000002
【特許請求の範囲】
【請求項１】
芯線と前記芯線を被覆する絶縁被覆とを備える電線に装着される電線保持部材であって、
前記電線を受け入れる第１の保持溝を有する第１の挟み込み部材と、
前記電線を受け入れる第２の保持溝を有して前記第１の挟み込み部材に組み付けられる第２の挟み込み部材とを備え、
前記第１の挟み込み部材と前記第２の挟み込み部材とが組み付けられた状態では前記第１の保持溝と前記第２の保持溝とが組み合わせられて内部に前記電線を受け入れ可能な電線保持部となっており、
前記第１の保持溝または前記第２の保持溝が、前記電線保持部内に突出して前記絶縁被覆に圧接される保持突部と、前記保持突部に隣接して配置され、前記保持突部の圧接によって変形した前記絶縁被覆の進入を許容する逃がし部とを有している電線保持部材。
【請求項２】
前記保持突部の頂部が丸みを帯びた形状となっている、請求項１に記載の電線保持部材。
【請求項３】
前記保持突部と前記逃がし部とが、前記電線保持部の全周にわたって配置されている請求項１または請求項２に記載の電線保持部材。
【請求項４】
芯線と前記芯線を被覆する絶縁被覆とを備える電線と、前記電線に装着される電線保持部材とを備える電線の保持構造であって、
前記電線保持部材が、
前記電線を受け入れる第１の保持溝を有する第１の挟み込み部材と、
前記電線を受け入れる第２の保持溝を有し、前記第１の挟み込み部材に組み付けられる第２の挟み込み部材とを備え、
前記第１の挟み込み部材と前記第２の挟み込み部材とが組み付けられた状態では前記第１の保持溝と前記第２の保持溝とが組み合わせられて内部に前記電線を受け入れ可能な電線保持部となっており、
前記第１の保持溝または前記第２の保持溝が、前記電線保持部内に突出して前記絶縁被覆に圧接される保持突部と、前記保持突部に隣接して配置され、前記保持突部の圧接によって変形した前記絶縁被覆の進入を許容する逃がし部とを有している電線の保持構造。
【請求項５】
前記絶縁被覆が、前記第１の保持溝または前記第２の保持溝の内周面に対して隙間を残して前記逃がし部の内部に受け入れられている、請求項４に記載の電線の保持構造。
【発明の詳細な説明】
【技術分野】
【０００１】
本明細書によって開示される技術は、電線保持部材、および電線の保持構造に関する。
【背景技術】
【０００２】
コネクタハウジングに取り付けられて、電線を保持する電線ホルダとして、電線を挟んで対向する一対の保持部材を有するホルダが知られている（特許文献１参照）。一対の保持部材は、それぞれＵ字溝状の保持溝を有しており、互いの保持溝同士が向かい合うように配置されている。電線は、２つの保持溝によって形成される空間の内部に配置され、保持溝の内周面によって押圧され、圧縮される。
【先行技術文献】
【特許文献】
【０００３】
【特許文献１】特開２０１４−２６７４６号公報
【発明の概要】
【発明が解決しようとする課題】
【０００４】
上記の構成の電線ホルダでは、２つの保持部材による押圧を受けて変形した絶縁被覆の一部が保持溝の外部に逃げることがある。この逃げた部分が、２つの保持部材の合わせ面の間に進入し、合わせ面によって押し潰されると、絶縁被覆が破れてしまうおそれがある。
【課題を解決するための手段】
【０００５】
本明細書によって開示される電線保持部材は、芯線と前記芯線を被覆する絶縁被覆とを備える電線に装着される部材であって、前記電線を受け入れる第１の保持溝を有する第１の挟み込み部材と、前記電線を受け入れる第２の保持溝を有して前記第１の挟み込み部材に組み付けられる第２の挟み込み部材とを備え、前記第１の挟み込み部材と前記第２の挟み込み部材とが組み付けられた状態では前記第１の保持溝と前記第２の保持溝とが組み合わせられて内部に前記電線を受け入れ可能な電線保持部となっており、前記第１の保持溝または前記第２の保持溝が、前記電線保持部内に突出して前記絶縁被覆に圧接される保持突部と、前記保持突部に隣接して配置され、前記保持突部の圧接によって変形した前記絶縁被覆の進入を許容する逃がし部とを有している。
【０００６】
また、本明細書によって開示される電線の保持構造は、芯線と前記芯線を被覆する絶縁被覆とを備える電線と、前記電線に装着される電線保持部材とを備え、前記電線保持部材が、前記電線を受け入れる第１の保持溝を有する第１の挟み込み部材と、前記電線を受け入れる第２の保持溝を有し、前記第１の挟み込み部材に組み付けられる第２の挟み込み部材とを備え、前記第１の挟み込み部材と前記第２の挟み込み部材とが組み付けられた状態では前記第１の保持溝と前記第２の保持溝とが組み合わせられて内部に前記電線を受け入れ可能な電線保持部となっており、前記第１の保持溝または前記第２の保持溝が、前記電線保持部内に突出して前記絶縁被覆に圧接される保持突部と、前記保持突部に隣接して配置され、前記保持突部の圧接によって変形した前記絶縁被覆の進入を許容する逃がし部とを有している。
【０００７】
上記の構成によれば、電線保持部材を電線に装着する際に、保持突部の圧接によって変形した絶縁被覆の一部を逃がし部に逃がすことができる。これにより、絶縁被覆の一部が保持溝の外部に逃げることを抑制でき、絶縁被覆の破れを抑制できる。
【０００８】
上記の電線ホルダにおいて、前記保持突部の頂部が丸みを帯びた形状となっていてもよい。
このような構成によれば、保持突部が絶縁被覆に突き刺さって絶縁被覆が破れてしまうことを抑制できる。
【０００９】
上記の電線ホルダにおいて、前記保持突部と前記逃がし部とが、前記電線保持部の全周にわたって配置されていてもよい。
上記の構成によれば、保持突部の圧接によって変形した絶縁被覆が逃げる空間を全周にわたって確保することができる。これにより、絶縁被覆の一部が保持溝の外部に逃げることを確実に抑制でき、絶縁被覆の破れを確実に抑制できる。
【００１０】
上記の電線の保持構造において、前記絶縁被覆が、前記第１の保持溝または前記第２の保持溝の内周面に対して隙間を残して前記逃がし部の内部に受け入れられていてもよい。
上記の構成によれば、保持突部に圧縮された絶縁被覆の逃げ分を、逃がし部の内部にゆとりをもって受け入れることができるから、絶縁被覆の一部が保持溝の外部に逃げることを確実に抑制でき、絶縁被覆の破れを確実に抑制できる。
【発明の効果】
【００１１】
本明細書によって開示される技術によれば、電線被覆の破れを抑制しつつ電線を保持できる電線保持部材を提供できる。
【図面の簡単な説明】
【００１２】
【図１】実施形態において、電線およびこの電線に組み付けられた電線ホルダの斜視図
【図２】実施形態において、電線およびこの電線に組み付けられた電線ホルダの平面図
【図３】実施形態のシールドコネクタの分解斜視図
【図４】図２のＡ−Ａ線断面図
【図５】図４の円Ｒ内の拡大図
【図６】実施形態の電線ホルダの正面図
【図７】実施形態の電線ホルダの斜視図
【発明を実施するための形態】
【００１３】
実施形態を図１〜図７を参照しつつ説明する。本実施形態の電線ホルダ１０（電線保持部材に該当）は、シールドコネクタ１のコネクタハウジング４０に装着され、端子付き電線６０を保持する部材である。
【００１４】
本実施形態のシールドコネクタ１は、図３に示すように、３つの端子付き電線６０、コネクタハウジング４０、電線ホルダ１０、シールドシェル５０などを備えて構成されている。このシールドコネクタ１は、機器ケース（図示せず）に設けられた取付孔に取り付けられる部材である。
【００１５】
［端子付き電線６０］
端子付き電線６０は、図１に示すように、電線６１と、この電線６１の端末に圧着される端子金具６４とを有している。電線６１は、図４に示すように、金属素線を螺旋状に撚り合わせてなる芯線６２と、この芯線６２を被覆する樹脂製の絶縁被覆６３とを有している。電線６１の端末部においては、絶縁被覆６３が剥き取られて芯線６２が露出されている。端子金具６４は、金属板材を打ち抜き加工および曲げ加工して製造された部材であって、図１および図４に示すように、平板状のタブ部６５と、このタブ部６５から連なる電線接続部６６とを備えている。電線６１の端末において露出された芯線６２に電線接続部６６がかしめ付けられることにより、電線６１と端子金具６４とが接続されている。
【００１６】
［コネクタハウジング４０］
コネクタハウジング４０は、合成樹脂製であって、図３に示すように、嵌合部４１と、この嵌合部４１から連なるホルダ収容部４３とを有している。嵌合部４１は、機器ケースの取付孔に嵌合する部分であり、ホルダ収容部４３は、電線ホルダ１０を収容する部分である。
【００１７】
嵌合部４１は、一端が開口した有底筒状の部分であって、内部には、３つのキャビティ４２が並列して配置されている。嵌合部４１の外周面には、取付孔の内周面と嵌合部４１との間をシールするゴムリングＲが装着される。ホルダ収容部４３は、嵌合部４１の底部から連なる筒状の部分である。各キャビティ４２の内部に電線６１が挿通され、各電線６１は、ホルダ収容部４３から外部へ導出されている。
【００１８】
［電線ホルダ１０］
電線ホルダ１０は、互いに組み付けられる第１分割体１１Ａ（第１の挟み込み部材に該当）と第２分割体１１Ｂ（第２の挟み込み部材に該当）とにより構成されている。第１分割体１１Ａと第２分割体１１Ｂとは互いに同形状であるので、以下には、第１分割体１１Ａについて詳細に説明し、第２分割体１１Ｂについては、同一の構成には同一の符号を付して説明を省略する。
【００１９】
第１分割体１１Ａは、図６および図７に示すように、３つの半筒部２０と、２つの連結部３０とを備えている。各半筒部２０は、全体として、円筒を半分に割ったような形状（半円筒形）を有している。各半筒部２０において、円筒の分割面は、第２分割体１１Ｂと当接する合わせ面２０Ｆとなっており、円筒の内側部分は、内部に電線６１を受け入れ可能な保持溝２１となっている。保持溝２１は、合わせ面２０Ｆを基準として凹むとともに、半筒の両端に開口するＵ字溝である。３つの半筒部２０は、互いに平行に、間隔を空けて並んで配置されている。複数の連結部３０のそれぞれは、隣り合う２つの半筒部２０を連結するＬ字板状の部分である。
【００２０】
各分割体１１Ａ、１１Ｂは、それぞれ、係合突起３１と、この係合突起３１に係合する係合片３２とを有している。図１に示すように、第１分割体１１Ａと第２分割体１１Ｂとが組み付けられた状態では、第１分割体の係合突起３１が第２分割体１１Ｂの係合片３２に係合している。第１分割体１１Ａの係合片３２と第２分割体の係合突起３１も同様に係合している。
【００２１】
２つの分割体１１Ａ、１１Ｂが組み付けられた状態では、図１に示すように、第１分割体１１Ａの保持溝２１（第１の保持溝に該当）のそれぞれと、対応する第２分割体１１Ｂの保持溝２１（第２の保持溝に該当）のそれぞれとが組み合わせられて、円筒状の電線保持部２８が３つ構成される。各電線保持部２８の内径Ｄ１は、図５に示すように、自然状態（電線ホルダ１０によって保持されていない状態）の電線６１の外径Ｄ４よりも大きくなっている。
【００２２】
各保持溝２１の内周面には、図７に示すように、電線保持部２８に収容された電線６１の絶縁被覆６３に圧接される２本の突条２２Ａ、２２Ｂ（保持突部に該当）が配置されている。２本の突条２２Ａ、２２Ｂのそれぞれは、内側に向かって突出し、保持溝２１の延び方向と直交方向に延びている。図４に示すように、２本の突条２２Ａ、２２Ｂのうち一方の突条（第１突条２２Ａ）は、保持溝２１において一方の端部（電線ホルダ１０が電線６１に組み付けられた状態で端子金具６４とは反対側の端部）に隣接して配置されており、他方の突条（第２突条２２Ｂ）は、第１突条２２Ａに隣接して配置されている。図５に示すように、第１突条２２Ａは、互いに近づくほど筒の中心方向に向かって傾く２つの傾斜面２３を有する山状に形成されている。第１突条２２Ａにおいて最も突出した部分、すなわち、２つの傾斜面２３が交わる山の稜線部２４は、丸みを帯びた形状となっている。第２突条２２Ｂについても同様である。２つの突条２２Ａ、２２Ｂの間の谷部、すなわち、２つの突条２２Ａ、２２Ｂにおいて、互いに相手側の突条と隣接する傾斜面２３、２３によって定義される凹み部は、第１逃がし部２５（逃がし部に該当）となっている。また、第２突条２２Ｂに対して第１突条２２Ａとは反対側の領域、すなわち、第２突条２２Ｂにおいて第１突条２２Ａとは反対側の傾斜面２３と、保持溝２１の内周面においてこの傾斜面２３に隣接する部分とで定義される部分は、２つの突条２２Ａ、２２Ｂに対して相対的に外側に凹む部分となっており、この部分は、第２逃がし部２７（逃がし部に該当）となっている。
【００２３】
２つの分割体１１Ａ、１１Ｂが組み付けられた状態では、１つの電線保持部２８を構成する２つの半筒部２０の第１突条２２Ａが互いに組み合わさって、第１突条２２Ａが電線保持部２８の全周にわたって配置された状態となっている。第１突条２２Ａの稜線部２４で構成される円の径Ｄ２は、図５に示すように、自然状態における電線６１の外径Ｄ４よりも小さくなっている。第２突条２２Ｂについても同様である。
【００２４】
また、１つの電線保持部２８を構成する２つの半筒部２０の第１逃がし部２５が互いに組み合わさって、第１逃がし部２５が電線保持部２８の全周にわたって配置された状態となる。第２逃がし部２７についても同様である。第１逃がし部２５の底部２６、すなわち、第１突条２２Ａの傾斜面２３と第２突条２２Ｂの傾斜面２３とが交わる谷底部分で構成される円の径Ｄ３は、図５に示すように、自然状態における電線６１の外径Ｄ４よりも大きくなっている。
【００２５】
電線ホルダ１０は、３本の電線６１に組み付けられた状態で、３つの電線６１のそれぞれに組み付けられた防水パッキンＰとともにホルダ収容部４３に収容される。
【００２６】
［シールドシェル５０］
シールドシェル５０は、金属板を打ち抜きおよび曲げ加工・絞り加工等することによって形成され、コネクタハウジング４０に装着される部材である。このシールドシェル５０は、図３に示すように、内部にホルダ収容部４３を収容するシェル本体部５１と、このシェル本体部５１から連なり、機器ケースに固定される取付板部５２とを備えている。
【００２７】
シェル本体部５１は、両端が開口した筒状であって、ホルダ収容部の外周を全周にわたって覆っている。取付板部５２は、シェル本体部５１の一方の開口縁から外側に向かって延びる板状の部分である。
シェル本体部５１には、ホルダ収容部４３から引き出された複数の電線を一括して覆う、図示しないシールド導電体が装着され、このシールド導電体は、かしめリング５３によってシェル本体部５１にかしめ付けられている。
【００２８】
［電線ホルダ１０の端子付き電線６０への組み付け］
電線ホルダ１０を端子付き電線６０に組み付ける際には、まず、第１分割体１１Ａを、保持溝２１が上側を向くようにして載置し、保持溝２１のそれぞれに、１本ずつの電線６１をセットする。３本の電線６１は、その略半分が各保持溝２１に嵌った状態となる。
【００２９】
次に、第１分割体１１Ａとの間で電線６１を挟み込むようにして、第２分割体１１Ｂを重ね合わせる。すると、第２分割体１１Ｂの各保持溝２１の内部に、各電線６１の残りの半分が嵌まり、各電線保持部２８に各電線６１が挿通された状態になる。
この状態で、係合片３２と係合突起３１とを係合させ、２つの分割体１１Ａ、１１Ｂを互いに固定する。
【００３０】
図４および図５に示すように、電線ホルダ１０が端子付き電線６０に組み付けられた状態では、２つの突条２２Ａ、２２Ｂが電線６１に食い込むように圧接しており、これにより、電線ホルダ１０からの電線６１の抜け止めがなされている。ここで、各突条２２Ａ、２２Ｂの稜線部２４は、丸みを帯びた形状となっているから、稜線部２４が絶縁被覆６３に突き刺さって絶縁被覆が破れてしまうことが回避される。
【００３１】
突条２２Ａ、２２Ｂの圧接によって変形した絶縁被覆６３の一部は、突条２２Ａ、２２Ｂの外側に逃げ、第１逃がし部２５および第２逃がし部２７の内部に受け入れられる。これにより、変形した絶縁被覆６３の一部が保持溝２１の外部に逃げることが抑制され、絶縁被覆６３の破れが抑制される。
【００３２】
第１逃がし部２５の底部２６で構成される円の径Ｄ３は、自然状態における電線６１の外径Ｄ４よりも大きくなっており、突条２２Ａ、２２Ｂの押圧によって変形した絶縁被覆６３の逃げ量に対して、第１逃がし部２５の内部空間の大きさが十分に確保されている。このため、絶縁被覆６３は、第１逃がし部２５を構成する２つの傾斜面２３に対して完全には密着せず、部分的に隙間を残して第１逃がし部２５の内部に受け入れられている。
【００３３】
また、電線保持部２８の内径Ｄ１は自然状態の電線６１の外径Ｄ４よりも大きくなっており、突条２２Ａ、２２Ｂの押圧によって変形した絶縁被覆６３の逃げ量に対して、第２逃がし部２７の内部空間の大きさが十分に確保されている。このため、絶縁被覆６３は、第２逃がし部２７を構成する第２突条２２Ｂの傾斜面２３と、保持溝２１の内周面においてこの傾斜面２３に隣接する部分に対して完全には密着せず、部分的に隙間を残して第２逃がし部２７の内部に受け入れられている。
【００３４】
［まとめ］
以上のように本実施形態によれば、電線ホルダ１０は、それぞれ保持溝２１を有する第１分割体１１Ａと第２分割体１１Ｂとを備えている。第１分割体１１Ａと第２分割体１１Ｂとが組み付けられた状態では、第１分割体１１Ａの保持溝２１と第２分割体１１Ｂの保持溝２１とが組み合わせられて内部に電線６１を挿通可能な電線保持部２８となっている。保持溝２１は、電線保持部２８内に突出して絶縁被覆６３に圧接される突条２２Ａ、２２Ｂと、この突条２２Ａ、２２Ｂに隣接して配置され、突条２２Ａ、２２Ｂの圧接によって変形した絶縁被覆６３の進入を許容する逃がし部２５、２７とを有している。
【００３５】
上記の構成によれば、電線ホルダ１０を電線６１に装着する際に、突条２２Ａ、２２Ｂの圧接によって変形した絶縁被覆６３の一部を逃がし部２５、２７に逃がすことができる。これにより、絶縁被覆６３の一部が保持溝２１の外部に逃げることを抑制でき、絶縁被覆６３の破れを抑制できる。
【００３６】
上記の電線ホルダ１０において、各突条２２Ａ、２２Ｂの稜線部２４が丸みを帯びた形状となっている。このような構成によれば、突条２２Ａ、２２Ｂが絶縁被覆６３に突き刺さって絶縁被覆６３が破れてしまうことを抑制できる。
【００３７】
上記の電線ホルダ１０において、突条２２Ａ、２２Ｂと逃がし部２５、２７とが、電線保持部２８の全周にわたって配置されている。このような構成によれば、突条２２Ａ、２２Ｂの圧接によって変形した絶縁被覆６３が逃げる空間を全周にわたって確保することができる。これにより、絶縁被覆６３の一部が保持溝２１の外部に逃げることを確実に抑制でき、絶縁被覆６３の破れを確実に抑制できる。
【００３８】
また、絶縁被覆６３が、保持溝２１の内周面に対して隙間を残して逃がし部２５、２７の内部に受け入れられている。このような構成によれば、突条２２Ａ、２２Ｂに圧縮された絶縁被覆６３の逃げ分を、逃がし部２５、２７の内部にゆとりをもって受け入れることができるから、絶縁被覆６３の一部が保持溝２１の外部に逃げることを確実に抑制でき、絶縁被覆６３の破れを確実に抑制できる。
【００３９】
＜他の実施形態＞
本明細書で開示される技術は上記記述及び図面によって説明した実施形態に限定されるものではなく、例えば次のような種々の態様も含まれる。
（１）上記実施形態では、保持溝２１には、２つの突条２２Ａ、２２Ｂが配置されていたが、保持突部は１つであってもよく、３つ以上であってもよい。
【００４０】
（２）上記実施形態では、突条２２Ａ、２２Ｂが電線保持部２８の全周にわたって配置されていたが、保持突部は電線保持部２８の全周にわたって配置されていなくても構わない。
【符号の説明】
【００４１】
１０…電線ホルダ（電線保持部材）
１１Ａ…第１分割体（第１の挟み込み部材）
１１Ｂ…第２分割体（第２の挟み込み部材）
２１…保持溝（第１の保持溝、第２の保持溝）
２８…電線保持部
２２Ａ…第１突条（保持突部）
２２Ｂ…第２突条（保持突部）
２４…稜線部（頂部）
２５…第１逃がし部（逃がし部）
２７…第２逃がし部（逃がし部）
６１…電線
６２…芯線
６３…絶縁被覆
【図１】
2017073212.tif 000003
【図２】
2017073212.tif 000004
【図３】
2017073212.tif 000005
【図４】
2017073212.tif 000006
【図５】
2017073212.tif 000007
【図６】
2017073212.tif 000008
【図７】
2017073212.tif 000009